(57)【要約】【課題】  本発明はメロン等のように比較的重く粗度大な果実６を１個づつ凹部に収容し、隣接部凹部に収容したメロン等の果実相互６，６に干渉するおそれがなく、かつ果実６の表面を柔らかく支持し得て果実表面の擦過傷を防止し、輸送による品質低下を阻止することを目的とする。【解決手段】  複数の果実収容凹部２を連設してなるパルプモウルドトレー１において、上記凹部２の内面１ｂの粗度を大に、外面１ａの粗度を小に抄製乾燥させてなる青果物等の包装用トレー。【選択図】  図１
2006143305.tif 000002
【特許請求の範囲】
【請求項１】
複数の果実収容凹部を連設してなるパルプモウルドトレーにおいて、
上記凹部の内面の粗度を大に、外面の粗度を小に抄製乾燥させてなる青果物等の包装用トレー。
【請求項２】
連設方向に隣接する上記凹部の境界部分に該凹部をそれぞれ上方に延長して対向緩衝片を突設し、該対向緩衝片間に間隙を介在させ、
かつ該緩衝片の外面の粗度を大に内面の粗度を小に形成した請求項１記載の青果物等の包装用トレー。
【請求項３】
上記凹部の連設方向に一連の屈曲自在区画部分を形成し、該部分の両側に上記凹部を隣接させた請求項１又は２記載の青果物等の包装用トレー。
【発明の詳細な説明】
【技術分野】
【０００１】
本発明は果実の円弧球状下部を収容する複数の円弧球状凹部を隣接形成し、これを段ボール箱に収容するパルプモウルド製包装用トレーに関するものである。
【背景技術】
【０００２】
従来、パルプ又は故紙繊維モウルドにより果物輸送用トレーが開発され、メロン等を収容し、これをさらに段ボール箱に収納して用いた（例えば特許文献１）。
【０００３】
ところが円弧球状下部凹部に収容したメロンは隣接部が接触して損傷し、商品価値を著しく低下させた。
【０００４】
そのためトレーの隣接凹部境界部分にメロンの相互干渉による損傷を防止する衝立状緩衝片を設けた（例えば特許文献２、３）。
【０００５】
しかし、トレーの内面及び上記緩衝片の外面は粗度が小でクッション性に乏しく、メロンの外皮をこすって損傷させ易いという問題があった。
【０００６】
【特許文献１】実開昭５４−４９３８１号
【特許文献２】登録第１０２３１９４号意匠公報
【特許文献３】登録第１０３１０５１号意匠公報
【発明の開示】
【発明が解決しようとする課題】
【０００７】
本発明はメロン等のように比較的重く粗度大な果実を１個づつ凹部に収容し、隣接部凹部に収容したメロン等の果実相互に干渉するおそれがなく、かつ果実の表面を柔らかく支持し得て果実表面の擦過傷を防止し、輸送による品質低下を阻止することを目的とする。
【課題を解決するための手段】
【０００８】
上記の目的を達成するため本発明は、
第１に複数の果実収容凹部を連設してなるパルプモウルドトレーにおいて、上記凹部の内面の粗度を大に、外面の粗度を小に抄製乾燥させてなる青果物等の包装用トレー、
第２に連設方向に隣接する上記凹部の境界部分に該凹部をそれぞれ上方に延長して対向緩衝片を突設し、該対向緩衝片間に間隙を介在させ、かつ該緩衝片の外面の粗度を大に内面の粗度を小に形成した上記第１発明記載の青果物等の包装用トレー、
第３に上記凹部の連設方向に一連の屈曲自在区画部分を形成し、該部分の両側に上記凹部を隣接させた上記第１又は第２発明記載の青果物等の包装用トレー。
によって構成される。
【０００９】
従ってメロン等の比較的重くかつ粗度大で丸い球状の果実を上記凹部に収容し、さらに段ボール箱に収容して輸送する。
【００１０】
収容された隣接果実は輸送による振動や慣性に対し対向緩衝片間の間隙のクッションが作用して相互に上記凹部内に確保される。
【００１１】
又果実の円弧形球面は上記緩衝片の外面及び上記凹部内面の小凹凸（粗度大）によって柔らかく保持される。
【発明の効果】
【００１２】
本発明は上述のようにメロン等のように比較的重量及び球状が大で球状の果実の外面模様を損傷するおそれがなく、輸送による品質低下を防止し得る効果がある。
【発明を実施するための最良の形態】
【００１３】
メロン等の球状果実６の下部を収容する円弧球形凹部２，２，２を横方向に２列に連設する（図１）。
【００１４】
上記トレー１において、列方向に隣接する上記凹部２，２の境界部分３又は稜線部分に上記凹部２，２をそれぞれ上方に延長して互に対向する緩衝片４，４を突設し、対向緩衝片４，４間に間隙ｔを介在させて対向方向に弾性傾倒可能となすものである。
【００１５】
上記対向緩衝片４，４の隣接方向（連設方向ａ）と、平行方向即ち上記緩衝片４と直交する一連の区画部分５を屈曲自在に形成し、該部分５を屈曲させて図８に示すように該部分５の両側凹部２，２に形成した対向方向力条７，７を接してトレー１を段ボール箱８内に収容する。
【００１６】
上記トレー１がパルプ濃度約１％溶液槽内に金型網９を浸漬し、該金型網９を支持する金型１０から吸引孔１１を経てパルプ溶液１２を吸引し、金型網９の外側にパルプモウルド１’を抄製する。
【００１７】
抄製されたパルプモウルド１’は金型網９に接する面（外面１ａ）は金型網９の網目が微細であるため表面粗度がきわめて小で滑らかである。
【００１８】
しかし、金型網９に接する面（外面１ａ）と比較し反対側の面（内面１ｂ）は表面粗度が大であり不規則な凹凸１ｂ’，１ｂ”を形成する（図２）。
【００１９】
本発明では上記金型網９を上記凹部２の外側及び上記対向緩衝片４の内側（間隙ｔ側）に配置し、吸引孔１１から溶液を吸引することによって凹弧状金型網９の内側に上記凹部及び上記緩衝片４を有するトレー１を抄製し、パルプ溶液槽１６の上方に上昇回転させ、吸引受取凸型９’に受渡しさらに乾燥炉に向う金網コンベア１３上に上記トレー１を落下供給する。
【００２０】
即ち図５に示すように回転軸１４に複数の腕１５を開き角６０度毎に放射状に設け、該腕１５の先端に開口部１５’を設け、該開口部１５’に図３に示す金型１０を凹型面及び金型網９を外側に向けて支持する。
【００２１】
上記腕１５がパルプ溶液槽１６内を回動し、吸引孔１１から溶液を吸引して上記金型網９にパルプモウルド１’を抄製し、図５に示すように斜上位置ｂに回転した際、上記金型網９に凸金型９’（図４）を図５に示すように嵌合し、金型１０の吸引孔１１から空気を吹出し、凸金型９’の吸引孔１１’から空気を吸引して抄製パルプモウルド１’を金型網９から凸金網９’に受渡すことができる。
【００２２】
凸金型９’は上記コンベア１３上方に設けた回動受渡腕１５”の先端開口部１５ａに設けられ、吸引孔１１’による空気吸引及び空気吹出し動作によって受取抄製パルプモウルド１’をコンベア１３上に供給し、乾燥機に搬送し、乾燥させて図７、図８に示す製品トレーとする。
【００２３】
吸引孔１１，１１’からの空気吸引・吹出しは上記腕１５，１５’への自動切換弁操作により上記腕１５，１５”の上記斜上向位置ｂ及び斜下向位置ｂ’において切換えられる。
【産業上の利用可能性】
【００２４】
上記パルプモウルドトレー１は乾燥させた状態において金型網９による抄製モウルド１’の外面（凹部２の内面２’）の粗度が大で不規則な凹凸１ｂ’，１ｂ”を形成する。上記凹部２の内面２’及び緩衝片４の外面４’の凹凸１ｂ’，１ｂ”によってメロン等の果実の表面に柔軟に適応させることができる。又上記緩衝片４の内面は粗度が小で凹凸が少いため上記間隙ｔを充分介在させることができる。
【図面の簡単な説明】
【００２５】
【図１】本発明のメロン等の包装用トレーを示す拡大縦断面図である。
【図２】図１の抄製状態拡大縦断面図である。
【図３】本発明の金型の拡大縦断面図である。
【図４】上記金型・金型網及び凸金型の縦断面図である。
【図５】パルプモウルドトレーの抄製受渡状態の側面図である。
【図６】抄製パルプモウルドトレーのコンベアへの供給状態であってＡ−Ａ線による縦断面図である。
【図７】抄製パルプモウルドトレーの平面図である。
【図８】図７の正面図である。
【図９】図７の右側面図である。
【図１０】Ｂ−Ｂ線による縦断面図である。
【図１１】上記トレーを上記区画面部から屈曲し、段ボール箱に収容した状態の縦断面図である。
【符号の説明】
【００２６】
１          パルプモウルドトレー
１ａ，１ｂ  内外面
２          果実収容凹部
ａ          連設方向
３          境界部分
４          対向緩衝片
ｔ          間隙
４’，４”  内外面
５          屈曲自在区画部分
【図１】
2006143305.tif 000003
【図２】
2006143305.tif 000004
【図３】
2006143305.tif 000005
【図４】
2006143305.tif 000006
【図５】
2006143305.tif 000007
【図６】
2006143305.tif 000008
【図７】
2006143305.tif 000009
【図８】
2006143305.tif 000010
【図９】
2006143305.tif 000011
【図１０】
2006143305.tif 000012
【図１１】
2006143305.tif 000013